(57)【特許請求の範囲】
【請求項１】
複数のＬＥＤと、
長手方向に沿って前記複数のＬＥＤが実装される長尺の実装基板と、
前記複数のＬＥＤの光を導光して外部に出射する導光板と、
前記複数のＬＥＤからの光が前記導光板の一端面から入射するように前記導光板を前記導光板の厚み方向から挟む一対の挟持部材と、
前記導光板の厚み方向に貫通し前記導光板に取り付けられる複数のピンと、を備え、
前記一対の挟持部材は、第１孔と、二つの第２孔と、を有しており、前記複数のピンのうち第１ピンが前記第１孔に挿入され、前記複数のピンのうち第２ピンが前記第２孔に挿入され、
前記第２孔は、長孔であり、前記第１孔と前記第２孔とが並ぶ方向と前記長孔の長手方向とを一致させるように、前記一対の挟持部材の長手方向の両端に一つずつ設けられ、
前記第１孔は、前記一対の挟持部材の長手方向の中央に設けられ、かつ、前記第１孔と前記第２孔とが並ぶ方向において、前記第１ピンと前記第１孔との隙間が、前記第２ピンと前記第２孔との隙間よりも小さく、前記複数のピンは、前記実装基板の厚み方向において前記実装基板と向かい合い、かつ前記実装基板の長手方向に沿って並んで設けられており、前記実装基板の長手方向において前記複数のＬＥＤのうち隣接する２つのＬＥＤの間に配置され、前記第２孔は、前記複数のＬＥＤが消灯している場合、前記実装基板の長手方向において前記隣接する２つのＬＥＤの間を結ぶ線分の垂直二等分線からずれた位置に前記第２ピンを配置させ、かつ前記複数のＬＥＤが点灯している場合、前記複数のＬＥＤが消灯している場合と比較して、前記隣接する２つのＬＥＤの間を結ぶ線分の垂直二等分線により近づく位置に前記第２ピンを配置させることを特徴とする照明器具。
【請求項２】
前記一対の挟持部材のうち一方の挟持部材は、前記実装基板が取り付けられる長尺の取付板と、前記取付板の短手方向の一端から前記取付板の厚み方向に突出する連結片と、前記連結片における前記取付板と反対側に設けられ前記導光板の厚み方向から前記導光板の第１主面を押える第１支持片と、を有しており、
前記一対の挟持部材のうち他方の挟持部材は、前記第１支持片と対向し、前記導光板の厚み方向から前記導光板の前記第１主面と反対の第２主面を押える第２支持片を有しており、
前記一対の挟持部材は、前記ＬＥＤの光軸と前記導光板の厚み方向の中心とが一致するように、前記連結片が前記取付板の短手方向に沿って前記第１支持片を前記第２支持片に近づけて連結し、
前記第１孔及び前記第２孔は、前記第１支持片及び前記第２支持片に対応して設けられていることを特徴とする請求項１記載の照明器具。
【請求項３】
複数のＬＥＤと、
長手方向に沿って前記複数のＬＥＤが実装される長尺の実装基板と、
前記複数のＬＥＤの光を導光して外部に出射する導光板と、
前記複数のＬＥＤからの光が前記導光板の一端面から入射するように前記導光板を前記導光板の厚み方向から挟む一対の挟持部材と、
前記導光板の厚み方向に貫通し前記導光板に取り付けられる複数のピンと、を備え、
前記一対の挟持部材は、第１孔と、第２孔と、を有しており、前記複数のピンのうち第１ピンが前記第１孔に挿入され、前記複数のピンのうち第２ピンが前記第２孔に挿入され、
前記第２孔は、長孔であり、前記第１孔と前記第２孔とが並ぶ方向と前記長孔の長手方向とを一致させるように設けられ、
前記第１孔は、前記第１孔と前記第２孔とが並ぶ方向において、前記第１ピンと前記第１孔との隙間が、前記第２ピンと前記第２孔との隙間よりも小さく、
前記複数のピンは、前記実装基板の厚み方向において前記実装基板と向かい合い、かつ前記実装基板の長手方向に沿って並んで設けられており、前記実装基板の長手方向において前記複数のＬＥＤのうち隣接する２つのＬＥＤの間に配置されており、
前記第２孔は、前記複数のＬＥＤが消灯している場合、前記実装基板の長手方向において前記隣接する２つのＬＥＤの間を結ぶ線分の垂直二等分線からずれた位置に前記第２ピンを配置させ、かつ前記複数のＬＥＤが点灯している場合、前記複数のＬＥＤが消灯している場合と比較して、前記隣接する２つのＬＥＤの間を結ぶ線分の垂直二等分線により近づく位置に前記第２ピンを配置させることを特徴とする照明器具。
【発明の詳細な説明】
【技術分野】
【０００１】
本発明は、照明器具に関し、より詳細には、導光板を備えた照明器具に関する。
【背景技術】
【０００２】
従来、導光板の一端面から入射したＬＥＤ(light emitting diode)の光を面状に出射する照明器具が利用されている。
【０００３】
この種の照明器具としては、複数のＬＥＤと、複数のＬＥＤが等間隔で配置される基板と、導光板と、一対の挟持部材と、連結部材と、を備えた構成が知られている（例えば、特許文献１）。
【０００４】
特許文献１の構成では、導光板は、アクリル樹脂素材で形成されている。導光板は、ＬＥＤから出る光を導光して外部に出射する。一対の挟持部材は、導光板の一端面からＬＥＤの光を入射できるように、導光板を挟持する。一対の挟持部材は、金属部材で形成されている。連結部材は、導光板の上部において、導光板を挟持した状態で一対の挟持部材の間を連結する。連結部材は、ビスと、ナットとで構成されている。照明器具は、導光板の一端面から入射したＬＥＤの光を両側面から照射する。
【先行技術文献】
【特許文献】
【０００５】
【特許文献１】特開２０１５−３２３９５号公報
【発明の概要】
【発明が解決しようとする課題】
【０００６】
ところで、照明器具は、ＬＥＤの点灯による発熱などに起因して導光板が伸長し、一対の挟持部材と導光板との間に応力が掛かる場合がある。照明器具では、一対の挟持部材と導光板との間に応力が掛かる場合、導光板の変形などで照射される光の均斉度が低下するおそれがある。照明器具では、より均斉度の高い構成が求められており、上述の特許文献１の構成だけでは十分でなく、更なる改良が求められている。
【０００７】
本発明の目的は、より均斉度の高い照明器具を提供することにある。
【課題を解決するための手段】
【０００８】
本発明の一態様に係る照明器具は、複数のＬＥＤと、実装基板と、導光板と、一対の挟持部材と、複数のピンと、を備えている。前記実装基板は、長尺の外形形状をしている。前記実装基板は、長手方向に沿って、前記複数のＬＥＤが実装される。前記導光板は、前記複数のＬＥＤの光を導光して外部に出射する。前記一対の挟持部材は、前記複数のＬＥＤからの光が前記導光板の一端面から入射するように、前記導光板を前記導光板の厚み方向から挟む。前記複数のピンは、前記導光板の厚み方向に貫通する。前記複数のピンは、前記導光板に取り付けられる。前記一対の挟持部材は、第１孔と、二つの第２孔と、を有している。前記一対の挟持部材は、前記複数のピンのうち、第１ピンが前記第１孔に挿入される。前記一対の挟持部材は、前記複数のピンのうち、第２ピンが前記第２孔に挿入さ
れる。前記第２孔は、長孔である。前記第２孔は、前記第１孔と前記第２孔とが並ぶ方向と前記長孔の長手方向とを一致させるように、前記一対の挟持部材の長手方向の両端に一つずつ設けられる。前記第１孔は、前記一対の挟持部材の長手方向の中央に設けられ、かつ、前記第１孔と前記第２孔とが並ぶ方向において、前記第１ピンと前記第１孔との隙間が、前記第２ピンと前記第２孔との隙間よりも小さい。前記複数のピンは、前記実装基板の厚み方向において前記実装基板と向かい合い、かつ前記実装基板の長手方向に沿って並んで設けられており、前記実装基板の長手方向において前記複数のＬＥＤのうち隣接する２つのＬＥＤの間に配置されている。前記第２孔は、前記複数のＬＥＤが消灯している場合、前記実装基板の長手方向において前記隣接する２つのＬＥＤの間を結ぶ線分の垂直二等分線からずれた位置に前記第２ピンを配置させ、かつ前記複数のＬＥＤが点灯している場合、前記複数のＬＥＤが消灯している場合と比較して、前記隣接する２つのＬＥＤの間を結ぶ線分の垂直二等分線により近づく位置に前記第２ピンを配置させる。
【発明の効果】
【０００９】
本発明の照明器具は、より均斉度を高くできる。
【図面の簡単な説明】
【００１０】
【図１】図１は、本発明の実施形態１の照明器具の要部を示す一部破断した分解斜視図である。
【図２】図２は、同上の照明器具の別の要部を示す一部破断した断面図である。
【図３】図３は、同上の照明器具を示す分解斜視図である。
【図４】図４Ａは、同上の照明器具を示す正面図、図４Ｂは、同上の照明器具を示す左側面図、図４Ｃは、同上の照明器具を示す背面図である。
【図５】図５は、同上の照明器具を示す断面図である。
【図６】図６は、同上の照明器具を示す斜視図である。
【図７】図７は、同上の照明器具の他の要部を示し、ＬＥＤの点灯前の状態を示す一部破断した側断面図である。
【図８】図８Ａは、同上の照明器具の更に別の要部を示す一部破断した断面図を示し、図８Ｂは、同上の照明器具と比較する比較例の照明器具の要部を示す一部破断した断面図である。
【図９】図９は、本発明の実施形態２の照明器具を示す斜視図である。
【図１０】図１０Ａは、同上の照明器具を示す正面図、図１０Ｂは、同上の照明器具を示す平面図、図１０Ｃは、同上の照明器具を示す左側面図、図１０Ｄは、同上の照明器具を示す背面図である。
【図１１】図１１は、同上の照明器具を示す縦断面図である。
【発明を実施するための形態】
【００１１】
（実施形態１）
以下では、本実施形態の照明器具１Ｘについて、図１ないし図８Ａに基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明器具１Ｘは、図１及び図２に示すように、複数のＬＥＤ３００と、実装基板３０１と、導光板５と、一対の挟持部材３９と、複数のピン３６と、を備えている。図１中では、複数のピン３６として、３つのピン３６を例示している。実装基板３０１は、長尺の外形形状をしている。実装基板３０１は、長手方向に沿って、複数のＬＥＤ３００が実装される。導光板５は、複数のＬＥＤ３００の光を導光して外部に出射する。一対の挟持部材３９は、複数のＬＥＤ３００からの光が導光板５の一端面５ａから入射するように、導光板５を導光板５の厚み方向から挟む。複数のピン３６は、導光板５の厚み方向に貫通する。複数のピン３６は、導光板５に取り付けられる。一対の挟持部材３９は、第１孔３９ａと、第２孔３９ｂと、を有している。一対の挟持部材３９は、複数のピン３６のうち、第１ピン３６ａが第１孔３９ａに挿入される。図１では、実装基板３０１の長手方向に沿って並ぶ３つのピン３６のうち、中央のピン３６が第１ピン３６ａである。一対の挟持部材３９は、複数のピン３６のうち、第２ピン３６ｂが第２孔３９ｂに挿入される。図１では、実装基板３０１の長手方向に沿って並ぶ３つのピン３６のうち、両側のピン３６それぞれが第２ピン３６ｂである。第２孔３９ｂは、長孔である。第２孔３９ｂは、第１孔３９ａと第２孔３９ｂとが並ぶ方向と長孔の長手方向とを一致させるように設けられる。第１孔３９ａは、第１孔３９ａと第２孔３９ｂとが並ぶ方向において、第１ピン３６ａと第１孔３９ａとの隙間が、第２ピン３６ｂと第２孔３９ｂとの隙間よりも小さい。ここで、隙間とは、第１孔３９ａと第２孔３９ｂとが並ぶ方向におけるピン３６の両側の空間を意味している。
【００１３】
本実施形態の照明器具１Ｘは、第１孔３９ａと第２孔３９ｂとが並ぶ方向において、第１ピン３６ａと第１孔３９ａとの隙間が、第２ピン３６ｂと第２孔３９ｂとの隙間よりも小さい構成で、より均斉度を高くできる。
【００１４】
以下では、本実施形態の照明器具１Ｘについて、より詳細に説明する。照明器具１Ｘは、図３に示すように、器具本体２と、４つの光源ユニット３と、反射部材４と、導光板５と、電源ユニット６と、を備えている。
【００１５】
器具本体２は、図３に示すように、有底角筒状の外形形状をしている。器具本体２は、底板２０と、４つの側板２１と、２つの補強板２２と、を有している。器具本体２は、第１端子台１０と、第２端子台１１と、２つの引掛ばね１２と、を備えている。
【００１６】
底板２０は、矩形平板状の外形形状をしている。底板２０は、金属板によって形成される。金属板の材料としては、例えば、鋼板が挙げられる。底板２０は、図４Ｃに示すように、４つの取付孔２３を有している。４つの取付孔２３は、底板２０の背面視において、矩形状の対向する２組の辺のうち、一方の対向する１組の辺の中央部において、他方の対向する１組の辺の長手方向に沿って配置される。各取付孔２３それぞれは、底板２０の厚み方向に貫通する。各取付孔２３それぞれは、底板２０の背面視において、円形の外形形状をしている。
【００１７】
底板２０は、更に、図３及び図４Ｃに示すように、２つの電線挿通孔２４と、引掛孔２５と、を有している。２つの電線挿通孔２４と引掛孔２５とは、底板２０の背面視において、４つの取付孔２３が並ぶ方向と交差する方向に沿って配置される。
【００１８】
各電線挿通孔２４それぞれは、底板２０の厚み方向に貫通する。各電線挿通孔２４それぞれは、底板２０の背面視において、円形の外形形状をしている。２つの電線挿通孔２４のうち、一方の電線挿通孔２４は、底板２０の中央部に設けられる。２つの電線挿通孔２４のうち、他方の電線挿通孔２４は、一方の電線挿通孔２４と比較して、底板２０の端側に設けられる。各電線挿通孔２４それぞれは、グロメット２４ａが嵌め込まれる。一方の電線挿通孔２４には、電灯線が挿通される。電灯線は、電力系統からの電力が供給される給電用の電線である。他方の電線挿通孔２４には、信号線が挿通される。信号線は、調光信号が伝送される電線である。引掛孔２５は、底板２０の厚み方向に貫通する。引掛孔２５は、底板２０の背面視において、長方形の外形形状をしている。
【００１９】
４つの側板２１の各々は、主部２１０と、連結部２１１と、外鍔部２１２と、を有している。主部２１０は、長尺に形成される。主部２１０は、矩形板状の外形形状をしている。主部２１０は、長手方向に沿って、短手方向の一端に連結部２１１が設けられる。連結部２１１は、長尺の外形形状をしている。連結部２１１は、図２に示すように、連結部２１１の長手方向から見て、連結部２１１の短手方向の一端部分がＬ字状の外形形状をしている。連結部２１１は、長手方向に沿って、一端部分が主部２１０の短手方向の一端と連結される。連結部２１１は、長手方向に沿って、一端部分と反対の他端が底板２０と連結される。
【００２０】
外鍔部２１２は、長尺の外形形状をしている。外鍔部２１２は、主部２１０の一端と反対の他端から主部２１０の厚み方向に沿って外方に突出する。言い換えれば、外鍔部２１２は、底板２０から離れる向きに突出している。外鍔部２１２は、図２に示すように、Ｌ字状の外形形状をしており、先端部分が主部２１０と対向する。
【００２１】
側板２１は、主部２１０と連結部２１１と外鍔部２１２とが一体的に形成されている。側板２１は、金属板の打ち抜き加工及び曲げ加工で形成される。側板２１の金属板としては、例えば、鋼板が挙げられる。側板２１は、白色の塗料が塗布されている。側板２１は、表面に白色の塗料が塗布されていることで、ＬＥＤ３００の光に対し反射率を高めることができる。底板２０と側板２１とは、一体的に形成される構成でもよいし、底板２０と側板２１とが別体に形成される構成でもよい。底板２０と側板２１とは、別体に形成される場合、例えば、溶接などの適宜の方向で底板２０と側板２１とが接合される。
【００２２】
２つの補強板２２の各々は、図３及び図５に示すように、長尺の外形形状をしている。各補強板２２の各々は、長手方向に直交する断面視において、Ｃ字状の外形形状をしている。各補強板２２は、複数の長孔部２２０を有している。各長孔部２２０は、補強板２２の厚み方向に貫通する。各長孔部２２０は、長手方向が補強板２２の短手方向に沿うように設けられる。２つの補強板２２は、長手方向が互いに平行で、かつ所定の間隔を隔てて隣り合うように配置される。２つの補強板２２の各々は、ねじにより、底板２０にねじ止めされる。補強板２２は、底板２０にねじ止めされた場合、図４Ｃに示すように、長孔部２２０が底板２０の取付孔２３と重なるように配置される。各補強板２２の各々は、金属板により形成される。補強板２２の金属板としては、例えば、鋼板が挙げられる。
【００２３】
第１端子台１０は、図３に示すように、底板２０に取り付けられる。第１端子台１０は、底板２０の中央部に配置される。第１端子台１０は、電灯線と電気的に接続される。第２端子台１１は、底板２０に取り付けられる。第２端子台１１は、２つの電線挿通孔２４の間に挟まれるように、底板２０に配置される。第２端子台１１は、信号線と電気的に接続される。
【００２４】
２つの引掛ばね１２は、図３及び図５に示すように、矩形状の底板２０の一辺に沿った両端部に取り付けられる。各引掛ばね１２は、帯状の板材によって形成される。帯状の板材は、ばね性を有している。
【００２５】
４つの光源ユニット３それぞれは、同一の構成をしている。以下では、１つの光源ユニット３の構成を、図１及び図２に基づいて説明する。光源ユニット３は、図１に示すように、ＬＥＤモジュール３０と、複数のピン３６と、一対の挟持部材３９と、を有している。一対の挟持部材３９は、互いに異なる形状を構成されている。以下では、一対の挟持部材３９のうち、一方の挟持部材３９を第１挟持部材３１と称し、一対の挟持部材３９のうち、一方と反対の他方の挟持部材３９を第２挟持部材３２とも称する。光源ユニット３は、第１反射シート３３と、第２反射シート３４と、弾性シート３５と、を有している。光源ユニット３は、更に、図２に示すように、結合ねじ３７と、固定ねじ３８と、を有している。
【００２６】
ＬＥＤモジュール３０は、複数のＬＥＤ３００と、実装基板３０１と、一対のコネクタ３０２と、を有している。実装基板３０１は、長尺に形成される。実装基板３０１は、矩形板状の外形形状をしている。実装基板３０１は、配線を有している。配線は、複数のＬＥＤ３００を電気的に接続する。配線は、例えば、銅箔で形成される。実装基板３０１は、複数の第１ねじ挿通孔３０３を有している。複数の第１ねじ挿通孔３０３の各々は、実装基板３０１の厚み方向に貫通する。複数の第１ねじ挿通孔３０３は、実装基板３０１の長手方向に沿って、実装基板３０１の中央部及び実装基板３０１の両端部に設けられる。各第１ねじ挿通孔３０３は、実装基板３０１の短手方向における第１端側に設けられる。
【００２７】
複数のＬＥＤ３００は、実装基板３０１の長手方向に沿って、所定の間隔で直線状に実装される。複数のＬＥＤ３００は、実装基板３０１の短手方向において、実装基板３０１の第１端と反対の第２端側に配置される。一対のコネクタ３０２は、実装基板３０１の長手方向の両端部に実装される。一対のコネクタ３０２は、実装基板３０１の短手方向における第１端側に設けられる。一対のコネクタ３０２は、実装基板３０１の配線と電気的に接続される。一対のコネクタ３０２は、実装基板３０１の配線を介して、複数のＬＥＤ３００へ給電できるように構成される。
【００２８】
第１挟持部材３１は、図１及び図２に示すように、取付板３１０と、第１結合片３１１と、第１支持片３１２と、連結片３１３と、を有している。取付板３１０は、長尺に形成される。取付板３１０は、矩形平板状の外形形状をしている。取付板３１０は、３つの第１ねじ孔３１６を有している。第１ねじ孔３１６は、取付板３１０の長手方向において、取付板３１０の中央部及び取付板３１０の両端部に設けられる。各第１ねじ孔３１６は、取付板３１０の厚み方向に貫通する。取付板３１０は、実装基板３０１の第１ねじ挿通孔３０３を挿通する固定ねじ３８が、第１ねじ孔３１６にねじ止めされる。取付板３１０は、３つのボルト挿通孔を有している。３つのボルト挿通孔は、取付板３１０の長手方向において、取付板３１０の中央部及び取付板３１０の両端部に設けられる。ボルト挿通孔は、取付板３１０の厚み方向に貫通する。
【００２９】
第１結合片３１１は、長尺に形成される。第１結合片３１１は、矩形平板状の外形形状をしている。第１結合片３１１は、３つの雌ねじ部３１４を有している。雌ねじ部３１４は、第１結合片３１１の長手方向に沿って、第１結合片３１１の中央部及び第１結合片３１１の両端部に設けられる。第１結合片３１１は、取付板３１０の長手方向に沿って、取付板３１０の短手方向の第１端に設けられる。第１結合片３１１は、取付板３１０の厚み方向に沿って、突出する。
【００３０】
第１支持片３１２は、長尺に形成される。第１支持片３１２は、矩形平板状の外形形状をしている。第１支持片３１２は、３つの第１ピン挿通孔３１５を有している。第１ピン挿通孔３１５は、第１支持片３１２の長手方向に沿って、第１支持片３１２の中央部及び第１支持片３１２の両端部に設けられる。第１ピン挿通孔３１５は、第１支持片３１２の厚み方向に貫通する。各第１ピン挿通孔３１５は、長孔の外形形状をしている。
【００３１】
第１支持片３１２の長手方向の中央部の第１ピン挿通孔３１５は、長孔の短手方向が第１支持片３１２の長手方向に沿うように設けられる。言い換えれば、第１支持片３１２の長手方向の中央部の第１ピン挿通孔３１５は、長孔の長手方向が第１支持片３１２の長手方向と交差するように設けられる。第１支持片３１２の長手方向の両端部の第１ピン挿通孔３１５は、長孔の長手方向が第１支持片３１２の長手方向に沿うように設けられる。長孔は、正面視において、長円形だけに限られず、楕円形、若しくは長尺の多角形状でもよい。
【００３２】
連結片３１３は、長尺に形成される。連結片３１３は、図１及び図２に示すように、連結片３１３の長手方向から見て、Ｌ字状の外形形状をしている。連結片３１３は、取付板３１０の長手方向に沿って、取付板３１０の短手方向の第１端と反対の第２端に設けられる。連結片３１３は、取付板３１０の厚み方向に沿って突出する。連結片３１３は、第１結合片３１１と対向するように配置される。連結片３１３は、取付板３１０と反対側で、第１支持片３１２と連結される。連結片３１３は、第１支持片３１２の長手方向に沿って、第１支持片３１２の短手方向の一端と連結される。連結片３１３は、取付板３１０の短手方向に沿って、第１支持片３１２を取付板３１０の第２端よりも第１結合片３１１に近づける。
【００３３】
第１挟持部材３１は、取付板３１０と第１結合片３１１と第１支持片３１２と連結片３１３とが一体に形成されている。第１挟持部材３１は、金属板の打ち抜き加工及び折り曲げ加工により形成される。第１挟持部材３１の金属板としては、例えば、鋼板が挙げられる。
【００３４】
第２挟持部材３２は、図１及び図２に示すように、底壁片３２０と、第２結合片３２１と、第２支持片３２２と、補強片３２３と、を有している。底壁片３２０は、長尺に形成される。底壁片３２０は、矩形平板状の外形形状をしている。底壁片３２０は、３つの窓孔３２６を有している。３つの窓孔３２６は、底壁片３２０の長手方向に沿って、底壁片３２０の中央部及び底壁片３２０の両端部に設けられる。各窓孔３２６は、底壁片３２０の厚み方向に貫通する。各窓孔３２６は、矩形の外形形状をしている。
【００３５】
第２結合片３２１は、長尺に形成される。第２結合片３２１は、矩形平板状の外形形状をしている。第２結合片３２１は、底壁片３２０の長手方向に沿って、底壁片３２０における短手方向の第１端に設けられる。第２結合片３２１は、底壁片３２０の厚み方向に沿って突出する。第２結合片３２１は、３つの第２ねじ挿通孔３２４を有している。３つの第２ねじ挿通孔３２４は、第２結合片３２１の長手方向に沿って、第２結合片３２１の中央部及び第２結合片３２１の両端部に設けられる。各第２ねじ挿通孔３２４は、第２結合片３２１の厚み方向に貫通する。各第２ねじ挿通孔３２４は、円形の外形形状をしている。言い換えれば、各第２ねじ挿通孔３２４は、丸孔である。
【００３６】
第２支持片３２２は、長尺に形成される。第２支持片３２２は、矩形平板状の外形形状をしている。第２支持片３２２は、底壁片３２０の長手方向に沿って、底壁片３２０の短手方向の第１端と反対の第２端に配置される。第２支持片３２２は、底壁片３２０の厚み方向に沿って、突出する。第２支持片３２２は、第２結合片３２１と対向して配置される。第２支持片３２２は、３つの第２ピン挿通孔３２５を有している。３つの第２ピン挿通孔３２５は、第２支持片３２２の長手方向に沿って、第２支持片３２２の中央部及び第２支持片３２２の両端部に設けられる。各第２ピン挿通孔３２５は、長孔の外形形状をしている。各第２ピン挿通孔３２５は、第２支持片３２２の厚み方向に貫通する。第２ピン挿通孔３２５は、第１ピン挿通孔３１５と対応して設けられる。
【００３７】
第２支持片３２２の長手方向の中央部の第２ピン挿通孔３２５は、長孔の短手方向が第２支持片３２２の長手方向に沿うように設けられる。言い換えれば、第２支持片３２２の長手方向の中央部の第２ピン挿通孔３２５は、長孔の長手方向が第２支持片３２２の長手方向と交差するように設けられる。第２支持片３２２の長手方向の両端部の第２ピン挿通孔３２５は、長孔の長手方向が第２支持片３２２の長手方向に沿うように設けられる。長孔は、正面視において、長円形だけに限られず、楕円形、若しくは長尺の多角形状でもよい。
【００３８】
補強片３２３は、長尺に形成される。補強片３２３は、矩形平板状の外形形状をしている。補強片３２３は、第２支持片３２２の長手方向に沿って、第２支持片３２２の短手方向における底壁片３２０と反対側に配置される。補強片３２３は、第２支持片３２２の厚み方向に沿って突出する。補強片３２３は、底壁片３２０と対向するように配置される。
【００３９】
第２挟持部材３２は、底壁片３２０と第２結合片３２１と第２支持片３２２と補強片３２３とが一体に形成されている。第２挟持部材３２は、金属板の打ち抜き加工及び折り曲げ加工により形成される。第２挟持部材３２の金属板としては、例えば、鋼板が挙げられる。
【００４０】
第１反射シート３３は、図１に示すように、長尺に形成される。第１反射シート３３は、第１基部３３０と、第１側部３３１と、第１固定部３３２と、を有している。第１基部３３０は、長尺に形成される。第１基部３３０は、矩形平板状の外形形状をしている。第１側部３３１は、第１基部３３０の長手方向に沿って、第１基部３３０の短手方向の第１端に設けられる。第１側部３３１は、第１基部３３０の厚み方向に沿って突出する。第１固定部３３２は、第１基部３３０の長手方向に沿って、第１基部３３０の短手方向における第１端と反対の第２端に設けられる。第１固定部３３２は、第１基部３３０の厚み方向に沿って突出する。第１固定部３３２は、第１側部３３１と対向して配置される。
【００４１】
第１固定部３３２は、３つの第１ピン孔３３３を有している。３つの第１ピン孔３３３は、第１固定部３３２の長手方向に沿って、第１固定部３３２の中央部及び第１固定部３３２の両端部に設けられる。各第１ピン孔３３３は、第１固定部３３２の厚み方向に貫通する。各第１ピン孔３３３は、長孔の外形形状をしている。第１ピン孔３３３は、第１挟持部材３１の第１ピン挿通孔３１５に対応して配置される。
【００４２】
第１固定部３３２の長手方向の中央部の第１ピン孔３３３は、長孔の短手方向が第１固定部３３２の長手方向に沿うように設けられる。第１固定部３３２の長手方向の両端部の第１ピン孔３３３は、長孔の長手方向が第１固定部３３２の長手方向に沿うように設けられる。
【００４３】
第１反射シート３３は、第１基部３３０と第１側部３３１と第１固定部３３２とが一体に形成される。第１反射シート３３は、表面がＬＥＤ３００からの光に対して、反射性及び拡散性を有している。第１反射シート３３は、電気絶縁性を有している。第１反射シート３３は、樹脂材料で形成される。第１反射シート３３は、白色に着色されている。第１反射シート３３の樹脂材料としては、例えば、ポリエチレンテレフタレートが挙げられる。
【００４４】
第２反射シート３４は、図１に示すように、長尺に形成される。第２反射シート３４は、第２基部３４０と、第２固定部３４１と、を有している。第２基部３４０は、長尺に形成される。第２基部３４０は、矩形平板状の外形形状をしている。第２固定部３４１は、長尺に形成される。第２固定部３４１は、矩形平板状の外形形状をしている。第２固定部３４１は、第２基部３４０の長手方向に沿って、第２基部３４０の短手方向の片端に設けられる。第２固定部３４１は、第２基部３４０の厚み方向に沿って突出する。
【００４５】
第２固定部３４１は、３つの第２ピン孔３４２を有している。３つの第２ピン孔３４２は、第２固定部３４１の長手方向に沿って、第２固定部３４１の中央部及び第２固定部３４１の両端部に設けられる。各第２ピン孔３４２は、第２固定部３４１の厚み方向に貫通する。各第２ピン孔３４２は、長孔の外形形状をしている。第２ピン孔３４２は、第２挟持部材３２の第２ピン挿通孔３２５に対応して配置される。
【００４６】
第２固定部３４１の長手方向の中央部の第２ピン孔３４２は、長孔の短手方向が第２固定部３４１の長手方向に沿うように設けられる。第２固定部３４１の長手方向の両端部の第２ピン孔３４２は、長孔の長手方向が第２固定部３４１の長手方向に沿うように設けられる。
【００４７】
第２反射シート３４は、第２基部３４０と第２固定部３４１とが一体に形成される。第２反射シート３４は、第１反射シート３３と同様に、表面がＬＥＤ３００からの光に対して、反射性及び光拡散性を有している。第２反射シート３４は、電気絶縁性を有している。第２反射シート３４は、第１反射シート３３と同じ樹脂材料で形成される。第２反射シート３４は、第１反射シート３３と同じ樹脂材料で形成される場合だけでなく、異なる樹脂材料で形成されてもよい。
【００４８】
弾性シート３５は、長尺に形成される。弾性シート３５は、矩形平板状の外形形状している。弾性シート３５は、弾性を有する材料によって形成される。弾性シート３５の材料としては、例えば、シリコーンゴムが挙げられる。
【００４９】
複数のピン３６の各々は、図２に示すように、ピン本体３６０と、フランジ３６１と、を有している。ピン本体３６０は、円柱状の外形形状をしている。フランジ３６１は、円環板状の外形形状をしている。フランジ３６１は、ピン本体３６０の長手方向に沿ったピン本体３６０の中央部に設けられる。フランジ３６１は、ピン本体３６０の軸周りに沿って、外方へ突出する。ピン３６は、必ずしもフランジ３６１を備えていなくてもよく、ピン本体３６０だけで構成されてもよい。ピン本体３６０は、雄ねじが形成されてもよい。言い換えれば、ピン３６は、ボルト、ビス、若しくは、ねじを含む広義の意味に解される。
【００５０】
ピン本体３６０の直径は、第１挟持部材３１の第１ピン挿通孔３１５及び第２挟持部材３２の第２ピン挿通孔３２５それぞれの短手方向の長さよりも僅かに小さい。
【００５１】
反射部材４は、図３、図４Ｃ及び図５に示すように、反射板４０と、４つの反射側板４１と、２つの引掛具４２と、取付ばね４３と、を有している。反射板４０は、矩形平板状の外形形状をしている。反射板４０は、正面視において、器具本体２における底板２０と相似形をしている。反射板４０は、器具本体２の底板２０よりも若干小さく形成される。反射側板４１は、図３及び図５に示すように、反射板４０の４つの辺に沿って設けられる。反射側板４１の各々は、反射板４０の厚み方向に沿って突出する。反射側板４１は、反射板４０と一体に形成される。
【００５２】
反射部材４は、金属板の打ち抜き加工及び折り曲げ加工によって形成される。反射部材４の金属板としては、例えば、鋼板が挙げられる。反射部材４は、器具本体２に囲まれるように配置される。
【００５３】
引掛具４２は、図５に示すように、側面視において、菱形の板状の外形形状をしている。引掛具４２は、反射板４０の厚み方向において、反射側板４１と同じ向きに突出する。引掛具４２は、図３及び図５に示す引掛ばね１２に対応して、矩形状の反射板４０の一辺に沿った両端部に配置される。各引掛具４２は、対応する引掛ばね１２に挟み持たれる。
【００５４】
取付ばね４３は、反射板４０に取り付けられる。取付ばね４３は、例えば、ねじりコイルばねである。取付ばね４３は、図４Ｂ及び図４Ｃに示すように、ねじりコイルばねのコイル部が、器具本体２の引掛孔２５から外方へ突出できるように配置される。
【００５５】
導光板５は、図１及び図２に示すように、長尺に形成される。導光板５は、矩形平板状の外形形状をしている。導光板５は、３つの貫通孔５０を有している。３つの貫通孔５０は、導光板５の長手方向の中央部と導光板５の両端部に設けられる。３つの貫通孔５０の各々は、導光板５の短手方向の一端部に設けられる。各貫通孔５０は、導光板５の厚み方向に貫通する。各貫通孔５０は、円形の外形形状をしている。言い換えれば、各貫通孔５０は、丸孔である。各貫通孔５０は、ピン本体３６０の外形よりも若干大きく形成される。貫通孔５０には、ピン３６のピン本体３６０が挿通される。貫通孔５０は、ピン３６のフランジ３６１が挿通されてないように形成される。導光板５は、貫通孔５０にピン３６が挿通されることで、ピン３６が導光板５に取り付けられる。導光板５は、厚み方向に対向する一対の主面のうち、第１主面５ａａが器具本体２の側板２１と対向するように配置される。導光板５は、第１主面５ａａと反対の第２主面５ａｂに凹凸を有している。導光板５は、図２に示すように、第２主面５ａｂが反射部材４と対向するように配置される。
【００５６】
導光板５は、一対の挟持部材３９で挟まれる場合、第１支持片３１２の長手方向の中央部の第１ピン挿通孔３１５と、第２支持片３２２の長手方向の中央部の第２ピン挿通孔３２５とに、１つのピン３６が挿通される。導光板５は、一対の挟持部材３９で挟まれる場合、第１支持片３１２の長手方向の一方の端部の第１ピン挿通孔３１５と、第２支持片３２２の長手方向の一方の端部の第２ピン挿通孔３２５とに、１つのピン３６が挿通される。導光板５は、一対の挟持部材３９で挟まれる場合、第１支持片３１２の長手方向の一方と反対の他方の端部の第１ピン挿通孔３１５と、第２支持片３２２の長手方向の一方と反対の他方の端部の第２ピン挿通孔３２５とに、１つのピン３６が挿通される。
【００５７】
導光板５は、一対の挟持部材３９で挟まれる場合、第１反射シート３３の第１固定部３３２及び弾性シート３５を介して、第１挟持部材３１の第１支持片３１２により、導光板５の厚み方向から第１主面５ａａが押される。導光板５は、一対の挟持部材３９で挟まれる場合、第２反射シート３４の第２固定部３４１を介して、第２挟持部材３２の第２支持片３２２により、導光板５の厚み方向から第２主面５ａｂが押される。
【００５８】
導光板５は、透光性を有している。導光板５は、樹脂材料の成形体である。導光板５の樹脂材料としては、例えば、アクリル樹脂、若しくはポリカーボネート樹脂が挙げられる。
【００５９】
電源ユニット６は、図３に示すように、器具本体２の底板２０に取り付けられる。電源ユニット６は、ハウジング６１を有している。ハウジング６１は、長尺に形成される。ハウジング６１は、一面が開放された矩形箱状の外形形状をしている。ハウジング６１は、開口が底板２０で塞がれるように配置される。ハウジング６１は、例えば、取付ねじにより、底板２０に取り付けられる。ハウジング６１は、金属製の板材で形成される。ハウジング６１は、金属製の板材の打ち抜き加工及び折り曲げ加工によって形成される。ハウジング６１は、内部に電源基板を収容する。電源基板は、第１端子台１０を介して、電灯線と電気的に接続される。電源基板は、第２端子台１１を介して、信号線と電気的に接続される。
【００６０】
電源基板には、複数種の電装部品が実装される。複数種の電装部品としては、例えば、トランス、ダイオード、コンデンサ、スイッチング素子及びスイッチング素子をスイッチング制御するドライブＩＣ(Integrated Circuit)などが挙げられる。複数種の電装部品は、適宜に電気的に接続され、ＬＥＤ３００の点灯電力を生成するための電源回路を構成する。電源回路は、実装基板３０１における一対のコネクタ３０２に所定の電力を供給する。電源回路は、例えば、昇圧チョッパ回路及び降圧チョッパ回路を備えている。電源回路は、商用交流電源などの外部電源からの交流電圧を直流電圧に整流する。電源回路は、整流した直流電圧を昇圧及び降圧し、所定の目標値に一致する電流を出力する。電源ユニット６と光源ユニット３とは、電源線によって、電気的に接続される。電源線は、電源ユニット６から光源ユニット３に電力を供給する給電用の電線である。
【００６１】
照明器具１Ｘは、電源ユニット６から光源ユニット３に給電させることで、ＬＥＤ３００を点灯する。ＬＥＤ３００から放射される光は、導光板５の一端面５ａから導光板５に入射し、導光板５の内部を導光する。導光板５を導光する光は、導光板５の第２主面５ａｂに形成された凹凸によって拡散して外部に出射される。導光板５の第２主面５ａｂから出射され、かつ拡散された光は、器具本体２の内部の反射板４０で反射される。反射板４０で反射された光は、反射板４０と対向する被照射面に照射される。
【００６２】
以下では、照明器具１Ｘの組み立て工程について説明する。最初に、導光板５を挟み持つ光源ユニット３の組立工程について説明する。
【００６３】
光源ユニット３の組み立て工程では、第１挟持部材３１の取付板３１０に、第１反射シート３３の第１基部３３０及びＬＥＤモジュール３０が順に重なるように、第１挟持部材３１と第１反射シート３３とＬＥＤモジュール３０とが配置される。ＬＥＤモジュール３０の実装基板３０１の第１ねじ挿通孔３０３と、第１反射シート３３の第１基部３３０に設けられた孔に固定ねじ３８が挿通される。固定ねじ３８が、ＬＥＤモジュール３０及び第１反射シート３３を介して、第１挟持部材３１の取付板３１０の第１ねじ孔３１６にねじ込まれる。固定ねじ３８が第１ねじ孔３１６にねじ込まれることで、図２に示すように、ＬＥＤモジュール３０及び第１反射シート３３が第１挟持部材３１の取付板３１０に固定される。
【００６４】
次に、ピン３６のピン本体３６０が、第２反射シート３４の第２ピン孔３４２と、導光板５の貫通孔５０と、第１反射シート３３の第１ピン孔３３３と、第１挟持部材３１の第１ピン挿通孔３１５とに順に挿通される。続いて、ピン３６のピン本体３６０が、フランジ３６１を介して、第２挟持部材３２の第２ピン挿通孔３２５に挿通される。第２挟持部材３２の第２結合片３２１は、第１挟持部材３１の第１結合片３１１と重ね合される。第２結合片３２１の第２ねじ挿通孔３２４に挿通される結合ねじ３７が、第１結合片３１１の雌ねじ部３１４にねじ込まれる。第２反射シート３４の第２固定部３４１と、第２支持片３２２との間には、図２に示すように、弾性シート３５が挟み込まれる。
【００６５】
結合ねじ３７が雌ねじ部３１４にねじ込まれることで、第１挟持部材３１の第１結合片３１１と第２挟持部材３２の第２結合片３２１とが結合される。第１挟持部材３１と第２挟持部材３２とは、３本のピン３６が導光板５の厚み方向に貫通した状態で、導光板５を挟み持つ。導光板５の一端面５ａは、第１挟持部材３１の取付板３１０に取り付けられたＬＥＤモジュール３０の複数のＬＥＤ３００のそれぞれと対向している。導光板５は、ピン３６を介して、第１挟持部材３１の第１支持片３１２と、第２挟持部材３２の第２支持片３２２とで、厚み方向から挟まれて支持される。導光板５を挟み持つことで、光源ユニット３が組み立てられる。
【００６６】
次に、光源ユニット３が器具本体２に取り付けられる。組立工程では、光源ユニット３における取付板３１０が器具本体２の底板２０に重ねられる。取付板３１０は、正面視が矩形状の底板２０における側縁に沿って配置される。
【００６７】
第２挟持部材３２の底壁片３２０における窓孔３２６を通して、ボルト１３が、第１挟持部材３１の取付板３１０におけるボルト挿通孔と、器具本体２の底板２０に設けられている孔に挿通される。ボルト１３は、図２に示すように、第１挟持部材３１の取付板３１０と、底板２０とを挟むように、ナット１４が締め付けられる。ボルト１３がナット１４に締め付けられることで、光源ユニット３が器具本体２の底板２０の周縁部分に取り付けられる。器具本体２の底板２０における各周縁部分の各々に、導光板５を挟み持った光源ユニット３が取り付けられる。
【００６８】
以下では、本実施形態の照明器具１Ｘが、より均斉度を高めることができることについて説明する。
【００６９】
照明器具では、ＬＥＤの点灯による発熱、周囲温度の変化などに起因して、導光板と一対の挟持部材とがそれぞれ熱膨張する。照明器具では、導光板が樹脂材料の成形体であり、一対の挟持部材が金属材料で形成される場合、導光板は、一対の挟持部材と比較して、線膨張率が２桁ほど大きい場合もある。導光板が樹脂材料の成形体であり、一対の挟持部材が金属材料で形成される場合、導光板が熱により伸縮する長さは、一対の挟持部材が熱により伸縮する長さよりも大きい。
【００７０】
照明器具は、導光板が複数のピンで一対の挟持部材に支持されている場合、一対の挟持部材及び導光板に対して複数のピンが固定されていると、導光板の伸縮に伴って複数のピンにより導光板に応力が加わる。照明器具は、導光板に応力が加わると、導光板が変形する。照明器具は、導光板が変形すると所定の配向特性を得ることができない。照明器具は、所定の配向特性が得られない場合、均斉度が低下する傾向にある。
【００７１】
本実施形態の照明器具１Ｘでは、一対の挟持部材３９における長手方向の中央部の第１ピン挿通孔３１５及び第２ピン挿通孔３２５が、一対の挟持部材３９における長手方向と交差する方向に沿って配置された長孔に形成されている。中央部の第１ピン挿通孔３１５及び第２ピン挿通孔３２５は、長孔の短手方向が一対の挟持部材３９における長手方向に沿って配置されているので、導光板５が伸縮しても、一対の挟持部材３９の長手方向に沿って第１ピン３６ａが移動することを抑制する。言い換えれば、一対の挟持部材３９における長手方向の中央部の第１ピン挿通孔３１５及び第２ピン挿通孔３２５それぞれは、第１孔３９ａを構成している。
【００７２】
照明器具１Ｘは、一対の挟持部材３９における長手方向の両端部の第１ピン挿通孔３１５及び第２ピン挿通孔３２５が、一対の挟持部材３９の長手方向に沿って配置された長孔に形成されている。両端部の第１ピン挿通孔３１５及び第２ピン挿通孔３２５は、長孔の長手方向が一対の挟持部材３９における長手方向に沿って配置されているので、導光板５が伸縮した場合、一対の挟持部材３９の長手方向へ第２ピン３６ｂが導光板５につられて移動できる。言い換えれば、一対の挟持部材３９における長手方向の両端部の第１ピン挿通孔３１５及び第２ピン挿通孔３２５それぞれは、第２孔３９ｂを構成している。
【００７３】
照明器具１Ｘは、導光板５が伸縮した場合、一対の挟持部材３９の長手方向へ第２ピン３６ｂが導光板５につられて移動できるので、複数のピン３６を介して導光板５に加わる応力の低減を図ることができる。
【００７４】
本実施形態の照明器具１Ｘでは、第２孔３９ｂの長手方向が導光板５の長手方向に沿った長孔に形成されており、一対の挟持部材３９は、複数のピン３６のうち、第２ピン３６ｂが第２孔３９ｂに挿入されることで、導光板５を保持する。照明器具１Ｘでは、第１孔３９ａの長手方向が導光板５の長手方向と交差する方向に沿った長孔に形成されており、一対の挟持部材３９は、複数のピン３６のうち、第１ピン３６ａが第１孔３９ａに挿入されても、正常時において、導光板５の自重を保持していない。
【００７５】
照明器具１Ｘは、何らかの原因で導光板５が破損し、第２ピン３６ｂが第２孔３９ｂから外れても、第１ピン３６ａが第１孔３９ａに当たって導光板５を保持できる。照明器具１Ｘは、第１ピン３６ａが導光板５を保持する場合、導光板５が一対の挟持部材３９の長手方向と交差する第１孔３９ａの長手方向に沿って鉛直方向の下方にずれるため、視認者に導光板５の破損を報知できる。
【００７６】
本実施形態の照明器具１Ｘでは、導光板５において、ＬＥＤ３００からの光がピン３６で遮らないように、ピン３６は、実装基板３０１の長手方向に沿った隣接する２つのＬＥＤ３００の間であって、実装基板３０１と対向するように配置されている。
【００７７】
すなわち、本実施形態の照明器具１Ｘでは、複数のピン３６は、実装基板３０１の厚み方向において、実装基板３０１と向かい合っている。複数のピン３６は、実装基板３０１の長手方向において、並んで設けられている。複数のピン３６は、実装基板３０１の長手方向において、複数のＬＥＤ３００のうち、隣接する２つのＬＥＤ３００の間に配置されることが好ましい。
【００７８】
本実施形態の照明器具１Ｘは、複数のピン３６が実装基板３０１の長手方向において、隣接する２つのＬＥＤ３００の間に配置される構成で、ＬＥＤ３００からの光がピン３６で遮光されることを抑制できる。
【００７９】
ところで、照明器具は、ＬＥＤの光出力を高くすればするほど発熱量が大きくなる傾向にある。照明器具では、ＬＥＤが点灯した場合、導光板の伸長する長さが一対の支持部材の伸長する長さと比較して長い。照明器具では、ＬＥＤの消灯時を基準にピンを配置させると、導光板と一対の挟持部材との熱膨張率の差に起因するピンの移動で、ＬＥＤからの光がピンで遮光されるおそれがある。特に、照明器具では、光出力を向上させる場合、隣接する２つのＬＥＤの間の距離を狭くする場合もある。照明器具では、隣接する２つのＬＥＤの間の距離が狭くなるにつれ、ピンの移動に伴う均斉度の低下の影響が大きくなる傾向にある。
【００８０】
本実施形態の照明器具１Ｘでは、図７に示すように、ＬＥＤ３００が点灯し導光板５が伸長した状態において、ＬＥＤ３００からの光がピン３６で遮らないように、第２孔３９ｂ及び第１孔３９ａが設けられる。図７は、ＬＥＤ３００が消灯している状態を例示している。
【００８１】
照明器具１Ｘは、ＬＥＤ３００が点灯している場合でも、ＬＥＤ３００が消灯している場合でも、第１ピン３６ａが実装基板３０１の長手方向に沿った隣接する２つのＬＥＤ３００の間を結ぶ線分の垂直二等分線と一致するように、第１孔３９ａに配置される。照明器具１Ｘは、ＬＥＤ３００の消灯時において、第２ピン３６ｂが隣接する２つのＬＥＤ３００の間を結ぶ線分の垂直二等分線からずれるように、第２孔３９ｂに配置される。照明器具１Ｘは、更に、ＬＥＤ３００が点灯時において、第２ピン３６ｂが隣接する２つのＬＥＤ３００の間を結ぶ線分の垂直二等分線に近づくように、第２孔３９ｂに配置される。
【００８２】
図７では、隣接する２つのＬＥＤ３００の間を結ぶ線分の垂直二等分線を第１仮想線１０ａａで例示している。図７では、ピン３６の軸芯を通り実装基板３０１の厚み方向に沿った第２仮想線１０ａｂで例示している。導光板５が伸長した場合、第１ピン３６ａは、第１孔３９ａに当たって第１孔３９ａと第２孔３９ｂとが並ぶ方向への移動が規制される。導光板５が伸長した場合、第２ピン３６ｂは、第１孔３９ａと第２孔３９ｂとが並ぶ方向へ沿って移動する。図７では、第２ピン３６ｂの移動方向を白抜きの矢印で例示している。
【００８３】
照明器具１Ｘは、導光板５が伸長した状態において、ＬＥＤ３００からの光がピン３６で遮られないように、第１孔３９ａ及び第２孔３９ｂが設けられるので、より均斉度を高くすることができる。
【００８４】
言い換えれば、本実施形態の照明器具１Ｘでは、第２孔３９ｂは、複数のＬＥＤ３００が消灯している場合、実装基板３０１の長手方向において、隣接する２つのＬＥＤ３００の間を結ぶ線分の垂直二等分線からずれた位置に第２ピン３６ｂを配置させる。第２孔３９ｂは、複数のＬＥＤ３００が点灯している場合、複数のＬＥＤ３００が消灯している場合と比較して、隣接する２つのＬＥＤ３００の間を結ぶ線分の垂直二等分線により近づく位置に、第２ピン３６ｂを配置させることが好ましい。
【００８５】
本実施形態の照明器具１Ｘは、複数のＬＥＤ３００が点灯している場合、隣接する２つのＬＥＤ３００の間を結ぶ線分の垂直二等分線により近づく位置に、第２ピン３６ｂが配置されることで、より均斉度を高めることができる。照明器具１Ｘは、導光板５と一対の挟持部材３９との相対的な変位を考慮して、第１孔３９ａと第２孔３９ｂとが配置されていればよい。
【００８６】
次に、本実施形態の照明器具１Ｘと、比較例の照明器具とを、図８Ａ及び図８Ｂに基づいて比較して説明する。比較例の照明器具は、図８Ｂに示すように、第１挟持部材３１に連結片３１３を備えておらず、取付板３１０の厚み方向に沿って取付板３１０の第２端から第１支持片３１２が突出している。比較例の照明器具は、導光板５の第１主面５ａａと第１支持片３１２との隙間を埋めるスペーサ５１が設けられている。比較例の照明器具は、ＬＥＤ３００の光軸３０ａと導光板５の厚み方向の中心とが一致するように形成されている。図８Ｂでは、ＬＥＤ３００の光軸３０ａを一点鎖線で例示している。
【００８７】
ところで、照明器具は、一般に、導光板の厚みが実装基板の短手方向の長さよりも薄い。実装基板は、ＬＥＤの電気絶縁性を確保するため、実装基板の端面から所定の絶縁距離を確保する必要がある。
【００８８】
比較例の照明器具は、実装基板３０１の端面から所定の絶縁距離を確保するため、取付板３１０の短手方向において、実装基板３０１の端面と第１支持片３１２との距離を離している。比較例の照明器具は、取付板３１０の短手方向において、実装基板３０１の端面と第１支持片３１２との距離が離れると、導光板５と第１支持片３１２との隙間を埋めるスペーサ５１が必要となる。比較例の照明器具は、スペーサ５１が設けられると、取付板３１０の短手方向に沿ったピン３６の長さを長くする必要がある。比較例の照明器具は、ピン３６の長さが長くなると、照明器具全体の薄型化及び小型化が難しくなる傾向にある。
【００８９】
本実施形態の照明器具１Ｘでは、図８Ａに示すように、一対の挟持部材３９のうち、一方の挟持部材３９は、取付板３１０と、連結片３１３と、第１支持片３１２と、を有している。取付板３１０は、長尺に形成されている。取付板３１０は、実装基板３０１が取り付けられる。連結片３１３は、取付板３１０の短手方向の一端から取付板３１０の厚み方向に突出する。第１支持片３１２は、連結片３１３における取付板３１０と反対側に設けられる。第１支持片３１２は、導光板５の厚み方向から導光板５の第１主面５ａａを押える。一対の挟持部材３９のうち、他方の挟持部材３９は、第２支持片３２２を有している。第２支持片３２２は、第１支持片３１２と対向する。第２支持片３２２は、導光板５の厚み方向から導光板５の第１主面５ａａと反対の第２主面５ａｂを押える。一対の挟持部材３９は、ＬＥＤ３００の光軸３０ａと導光板５の厚み方向の中心とが一致するように、連結片３１３が取付板３１０の短手方向に沿って第１支持片３１２を第２支持片３２２に近づけて連結する。図８Ａでは、ＬＥＤ３００の光軸３０ａを一点鎖線で例示している。第１孔３９ａ及び第２孔３９ｂは、第１支持片３１２及び第２支持片３２２に対応して設けられていることが好ましい。
【００９０】
本実施形態の照明器具１Ｘは、ＬＥＤ３００の光軸３０ａと導光板５の厚み方向の中心とが一致するように、連結片３１３が第１支持片３１２を第２支持片３２２に近づける構成で、実装基板３０１との絶縁距離を確保し薄型化を図れる。本実施形態の照明器具１Ｘは、ＬＥＤ３００の光軸３０ａと導光板５の厚み方向の中心とが一致するように、連結片３１３が第１支持片３１２を第２支持片３２２に近づける構成で、スペーサ５１などの余分な別部材を用いる必要もない。
【００９１】
以下では、照明器具１Ｘの施工工程について、簡単に説明する。
【００９２】
照明器具１Ｘの施工工程では、器具本体２が天井材に設けられた埋込孔に埋め込まれる。埋込孔からは、複数の吊りボルトが室内空間に露出している。器具本体２では、吊りボルトが、底板２０の取付孔２３及び２つの補強板２２の長孔部２２０にそれぞれ挿通される。取付孔２３及び長孔部２２０にそれぞれ挿通された吊りボルトにナットが締め付けられる。照明器具１Ｘは、吊りボルトにナットが締め付けられることで、器具本体２が吊りボルトに取り付けられる。器具本体２の側板２１の外鍔部２１２により、側板２１と埋込孔との隙間が目隠しされる。
【００９３】
次に、取付ばね４３の一対の腕部のそれぞれの先端部分に設けられている引掛部が、器具本体２の底板２０の引掛孔２５の周縁に引っ掛けられる。反射部材４は、取付ばね４３により、底板２０に吊り下げられた状態で器具本体２に仮保持される。反射部材４が器具本体２に仮保持された状態で、底板２０の２つの電線挿通孔２４のうち、一方の電線挿通孔２４から引き込まれる電灯線が、第１端子台１０と電気的に接続される。底板２０の２つの電線挿通孔２４のうち、他方の電線挿通孔２４から引き込まれる信号線は、第２端子台１１と電気的に接続される。
【００９４】
最後に、反射部材４が器具本体２における底板２０と４つの側板２１とで囲まれた空間内に収容される。取付ばね４３の一対の腕部が引掛孔２５に挿入されながら外向きに広がり、一対の腕部のそれぞれの根元となるコイル部に近い部分が底板２０の引掛孔２５の周縁に引っ掛けられる。２つの引掛具４２それぞれが、図３及び図５に示すように、器具本体２の底板２０に取り付けられている２つの引掛ばね１２に引っ掛けられる。反射部材４は、図４Ａ及び図６に示すように、器具本体２の内部空間に収容された状態で、取付ばね４３と２つの引掛ばね１２のばね力によって、器具本体２に支持される。照明器具１Ｘは、天井材の埋込孔に埋め込まれた状態で施工される。
【００９５】
（実施形態２）
本実施形態の照明器具１Ｙは、図９及び図１０に示すように、器具本体２と反射部材４と導光板５の外形形状が実施形態１の照明器具１Ｘと相違し、その他の構成については実施形態１の照明器具１Ｘと同様の構造としている。本実施形態の照明器具１Ｙの構成のうち、実施形態１の照明器具１Ｘの構成と機能的に共通する構成については、同一の符号を付して、適宜に説明を省略する。
【００９６】
本実施形態の照明器具１Ｙは、図９から図１１に示すように、器具本体２と、光源ユニット３と、反射部材４と、導光板５と、を備えている。
【００９７】
器具本体２は、底板２０と、一対の第１側板２１Ａと、一対の第２側板２１Ｂと、一対の補強板２２と、を備えている。底板２０は、長尺に形成される。底板２０は、矩形平板状の外形形状をしている。一対の第１側板２１Ａの各々は、長尺に形成される。一対の第１側板２１Ａの矩形平板状の外形形状をしている。第１側板２１Ａは、底板２０の長手方向に沿って、底板２０の短手方向の両側に設けられる。一対の第１側板２１Ａは、底板２０の厚み方向に突出する。一対の第１側板２１Ａは、対向して配置される。一対の第２側板２１Ｂは、矩形平板状の外形形状をしている。第２側板２１Ｂは、底板２０の長手方向の両側に設けられる。一対の第２側板２１Ｂは、底板２０の厚み方向に沿って、第１側板２１Ａと同じ方向に突出する。一対の第２側板２１Ｂは、対向して配置される。
【００９８】
一対の補強板２２は、主片２２１と、一対の側片２２２と、一対の補強部２２３と、を有している。主片２２１は、図１０Ｄに示すように、長尺に形成される。主片２２１は、矩形平板状の外形形状をしている。一対の側片２２２の各々は、長尺に形成される。各側片２２２は、矩形平板状の外形形状をしている。一対の側片２２２は、主片２２１の長手方向の両側に設けられる。側片２２２は、主片２２１の厚み方向に沿って突出する。一対の側片２２２は、互いに対向するように配置される。
【００９９】
一対の補強部２２３の各々は、長尺に形成される。各補強部２２３は、矩形平板状の外形形状をしている。一対の補強部２２３は、主片２２１の長手方向に沿って、主片２２１の短手方向の両側に設けられる。補強部２２３は、主片２２１の厚み方向に沿って、側片２２２の突出方向と反対の方向に突出する。一対の補強部２２３は、互いに対向するように配置される。一対の補強板２２は、底板２０における長手方向の両端部に主片２２１がねじ止めされる。補強板２２は、一対の側片２２２と主片２２１と一対の補強部２２３とが一体に形成される。
【０１００】
２つの光源ユニット３は、実施形態１の照明器具１Ｘにおける光源ユニット３と同様の構成をしている。光源ユニット３は、一対の第１側板２１Ａのそれぞれの内側面に導光板５の第１主面５ａａが接するようにして、器具本体２の内部空間に収容される。光源ユニット３は、図１１に示すように、第１挟持部材３１が器具本体２の底板２０にねじ止めされる。
【０１０１】
反射部材４は、反射板４０と、一対の第１反射側板４１Ａと、一対の第２反射側板４１Ｂと、取付ばね４３と、を備えている。反射板４０は、長尺に形成される。反射板４０は、矩形平板状の外形形状をしている。一対の第１反射側板４１Ａそれぞれは、長尺に形成される。各第１反射側板４１Ａは、矩形平板状の外形形状をしている。第１反射側板４１Ａは、反射板４０の短手方向の両端部に、反射板４０の長手方向に沿って設けられる。第１反射側板４１Ａは、反射板４０の厚み方向に突出する。一対の第１反射側板４１Ａは、対向して配置される。
【０１０２】
一対の第２反射側板４１Ｂは、長尺に形成される。各第２反射側板４１Ｂは、矩形平板状の外形形状をしている。一対の第２反射側板４１Ｂは、反射板４０の長手方向の両端部において、反射板４０の短手方向に沿って配置される。第２反射側板４１Ｂは、反射板４０の厚み方向に沿って、突出する。一対の第２反射側板４１Ｂは、互いに対向するように配置される。
【０１０３】
導光板５は、一対の挟持部材３９で挟まれる。一対の挟持部材３９は、ＬＥＤ３００の光軸３０ａと導光板５の厚み方向の中心とが一致するように、第１支持片３１２を第２支持片３２２に近づけている。導光板５は、器具本体２の内部から外部へ突出しないように形成される。
【０１０４】
照明器具１Ｙでは、図１１に示すように、第１端子台１０は、器具本体２の底板２０に取り付けられる。第１端子台１０は、反射部材４と底板２０の間に形成される空間に収容される。取付ばね４３は、図１０Ｄ及び図１１に示すように、コイル部４３０が反射板４０の長手方向の中央部に取り付けられる。
【０１０５】
照明器具１Ｙは、実施形態１の照明器具１Ｘと同様に、天井材の埋込孔に埋め込まれた状態で施工される。照明器具１Ｙでは、複数のＬＥＤ３００から放射される光は、導光板５の一端面５ａから導光板５の内部に入射する。ＬＥＤ３００から放射される光は、導光板５の内部を導光し、主として導光板５の第２主面５ａｂから外部に出射する。導光板５の第２主面５ａｂから出射する光は、第２主面５ａｂに形成された凹凸によって拡散される。
【０１０６】
本発明は、上述の実施形態に限定されず、本発明に係る技術的思想を逸脱しない範囲で、種々変更することができる。
【符号の説明】
【０１０７】
１Ｘ、１Ｙ  照明器具
５  導光板
５ａ  一端面
５ａａ  第１主面
５ａｂ  第２主面
３０ａ  光軸
３６  ピン
３６ａ  第１ピン
３６ｂ  第２ピン
３９  挟持部材
３９ａ  第１孔
３９ｂ  第２孔
３００  ＬＥＤ
３０１  実装基板
３１０  取付板
３１２  第１支持片
３１３  連結片
３２２  第２支持片
【図１】
0006803554.tif 000002
【図２】
0006803554.tif 000003
【図３】
0006803554.tif 000004
【図４】
0006803554.tif 000005
【図５】
0006803554.tif 000006
【図６】
0006803554.tif 000007
【図７】
0006803554.tif 000008
【図８】
0006803554.tif 000009
【図９】
0006803554.tif 000010
【図１０】
0006803554.tif 000011
【図１１】
0006803554.tif 000012